(57)【特許請求の範囲】
【請求項１】
高換気回数空間の換気負荷を低換気回数空間の換気負荷へ転換するための装置において、
前記高換気回数空間の表面へ取り付けるためのハウジングと、
前記ハウジングに形成されている空気入口と
前記ハウジングに形成されている少なくとも１つの空気出口と、
前記ハウジングを通って延びていて前記空気入口を前記少なくとも１つの空気出口へ接続している通路と、
前記高換気回数空間の空気を前記空気入口に引き入れ前記通路を通して引いてゆき当該空気を前記高換気回数空間へ前記少なくとも１つの空気出口を通して戻すように前記通路に配置されている循環ファンと、
前記通路を通過してゆく前記空気から有害物質をパージするための、前記通路に配置されているフィルタと、
前記ファンと前記フィルタのうちの少なくとも一方の正常機能を監視するための少なくとも１つのセンサと、を備え、それにより高換気回数空間の換気負荷を低換気回数空間の換気負荷へ転換し、
前記少なくとも１つのセンサは、前記ファンと前記フィルタのうちの少なくとも一方の機能不全が発生した場合に建造物の換気システムが前記高換気回数空間の換気回数を引き上げることができるように、前記高換気回数空間を収容する前記建造物の前記換気システムへ接続されている、装置。
【請求項２】
前記ハウジングは、前記高換気回数空間の天井と壁のうちの少なくとも一方への固定に適する構成である、請求項１に記載の装置。
【請求項３】
前記ハウジングは前記高換気回数空間の天井への固定に適する構成であり、前記天井はドロップダウン型天井であり、更に前記ハウジングの一部分が前記ドロップダウン型天井より上の領域の中へ延びている、請求項１に記載の装置。
【請求項４】
前記フィルタは前記高換気回数空間の前記空気から化学物質を除去するように構成されている、請求項１に記載の装置。
【請求項５】
前記フィルタは前記高換気回数空間の前記空気から非粒子状物質を除去するように構成されている、請求項４に記載の装置。
【請求項６】
前記フィルタは前記高換気回数空間の前記空気から煙霧と蒸気と揮発分のうちの少なくとも１つを除去するように構成されている、請求項５に記載の装置。
【請求項７】
前記フィルタは前記高換気回数空間の前記空気から溶媒と酸と塩基のうちの少なくとも１つを除去するように構成されている、請求項４に記載の装置。
【請求項８】
前記フィルタは前記高換気回数空間の前記空気から溶媒と酸と塩基のうちの少なくとも２つを除去するように構成されている、請求項７に記載の装置。
【請求項９】
前記フィルタは前記ハウジングへヒンジ接続されているトレイに受け入れられている、請求項１に記載の装置。
【請求項１０】
前記ファンと前記フィルタのうちの少なくとも一方の機能不全を指示するための、前記少なくとも１つのセンサへ接続されている警報を更に備えている請求項１に記載の装置。
【請求項１１】
前記警報は可聴警報である、請求項１０に記載の装置。
【請求項１２】
前記警報は視覚的な電灯による警報である、請求項１０に記載の装置。
【請求項１３】
前記装置は８−１２回毎時換気空間の換気負荷を２−４回毎時換気空間の換気負荷へ転換する、請求項１に記載の装置。
【請求項１４】
前記高換気回数空間の周囲空気を監視するための少なくとも１つのセンサを更に備えている、請求項１に記載の装置。
【請求項１５】
前記高換気回数空間の前記周囲空気の空気品質が所定空気品質レベルより下に劣化した場合に指示するための、前記少なくとも１つのセンサへ接続されている警報を更に備えている請求項１４に記載の装置。
【請求項１６】
前記ファンと前記フィルタのうちの少なくとも一方の正常機能を監視するための少なくとも１つの第１のセンサと、前記高換気回数空間の周囲空気を監視するための少なくとも１つの第２のセンサと、前記ファンと前記フィルタのうちの少なくとも一方の機能不全と前記高換気回数空間の前記周囲空気の空気品質の所定空気品質レベルより下への劣化とから成る群からの少なくとも１つの発生を指示するための、前記少なくとも１つの第１のセンサ及び前記少なくとも１つの第２のセンサへ接続されている警報と、を更に備えている請求項１に記載の装置。
【請求項１７】
前記警報は視覚的な電灯による警報である、請求項１６に記載の装置。
【請求項１８】
前記視覚的な電灯による警報は前記ハウジングへ取り付けられている電灯の帯を備えている、請求項１７に記載の装置。
【請求項１９】
前記視覚的な電灯による警報は前記電灯の帯の色を変化させることによって事象の発生を指示する、請求項１８に記載の装置。
【請求項２０】
前記視覚的な電灯による警報は前記電灯の帯を点滅させることによって事象の発生を指示する、請求項１８に記載の装置。
【請求項２１】
換気システムを有する建造物内の高換気回数空間の換気負荷を取り扱うための方法において、
高換気回数空間の換気負荷を低換気回数空間の負荷へ転換するための装置を提供する段階であって、
高換気回数空間の表面へ取り付けるためのハウジングと、
前記ハウジングに形成されている空気入口と
前記ハウジングに形成されている少なくとも１つの空気出口と、
前記ハウジングを通って延びていて前記空気入口を前記少なくとも１つの空気出口へ接続している通路と、
前記高換気回数空間の空気を前記空気入口に引き入れ前記通路を通して引いてゆき当該空気を前記高換気回数空間へ前記少なくとも１つの空気出口を通して戻すように前記通路に配置されている循環ファンと、
前記通路を通過してゆく前記空気から有害物質をパージするための、前記通路に配置されているフィルタと、
前記ファンと前記フィルタのうちの少なくとも一方の正常機能を監視するための少なくとも１つのセンサと、を備えている装置、を提供する段階と、
前記装置を前記高換気回数空間に配置し、前記装置を作動させて高換気回数空間の換気負荷が低換気回数空間の換気負荷へ転換されるようにする段階と、
前記建造物の前記換気システムを作動させて前記高換気回数空間へ低換気回数が提供されるようにする段階と、を備え、
前記少なくとも１つのセンサは前記建造物の前記換気システムへ接続されていて、前記ファンと前記フィルタのうちの少なくとも一方の機能不全が発生した場合に前記建造物の前記換気システムを作動させて前記高換気回数空間へ高換気回数が提供されるようにする、方法。
【請求項２２】
前記ファンと前記フィルタのうちの少なくとも一方の機能不全を指示するための、前記少なくとも１つのセンサへ接続されている警報を更に備えている請求項２１に記載の方法。
【請求項２３】
前記警報は可聴警報である、請求項２２に記載の方法。
【請求項２４】
前記警報は視覚的な電灯による警報である、請求項２２に記載の方法。
【請求項２５】
前記装置は８−１２回毎時換気空間の換気負荷を２−４回毎時換気空間の換気負荷へ転換する、請求項２１に記載の方法。
【請求項２６】
前記高換気回数空間の周囲空気を監視するための少なくとも１つのセンサを更に備えている、請求項２１に記載の方法。
【請求項２７】
前記高換気回数空間の前記周囲空気の空気品質が所定空気品質レベルより下に劣化した場合に指示するための、前記少なくとも１つのセンサへ接続されている警報を更に備えている請求項２６に記載の方法。
【請求項２８】
前記ファンと前記フィルタのうちの少なくとも一方の正常機能を監視するための少なくとも１つの第１のセンサと、前記高換気回数空間の周囲空気を監視するための少なくとも１つの第２のセンサと、前記ファンと前記フィルタのうちの少なくとも一方の機能不全と前記高換気回数空間の前記周囲空気の空気品質の所定空気品質レベルより下への劣化とから成る群からの少なくとも１つの発生を指示するための、前記少なくとも１つの第１のセンサ及び前記少なくとも１つの第２のセンサへ接続されている警報と、を更に備えている請求項２１に記載の方法。
【請求項２９】
前記警報は視覚的な電灯による警報である、請求項２８に記載の方法。
【請求項３０】
前記視覚的な電灯による警報は前記ハウジングへ取り付けられている電灯の帯を備えている、請求項２９に記載の方法。
【請求項３１】
前記視覚的な電灯による警報は前記電灯の帯の色を変化させることによって事象の発生を指示する、請求項３０に記載の方法。
【請求項３２】
前記視覚的な電灯による警報は前記電灯の帯を点滅させることによって事象の発生を指示する、請求項３０に記載の方法。
【発明の詳細な説明】
【技術分野】
【０００１】
（係属中の先行特許出願の参照）
本特許出願は、２０１３年５月１８日にフィパック・リサーチ・アンド・ディベロップメント・カンパニー、スティーブン・ハウビル他によって出願されている「実験棟内の空気を取り扱うための方法及び装置」についての係属中の先行米国仮特許出願第６１／８２４，９９７号（弁理士整理番号ＦＩＰＡＫ−１６ＰＲＯＶ）の恩典を主張し、当該特許出願をこれにより参考文献としてここに援用する。
【０００２】
本発明は、建造物内の空気品質を監視及び確保するための方法及び装置に関する。より厳密には、本発明は、建造物内の空気品質を監視するための、建造物内の空気品質を確保するための、及び建造物内の空気品質に係る起こり得る問題が発生した場合に職員へ勧告するための方法及び装置に関する。本発明は中でも特に有害物質（例えば危険有害化学物質）の存在のせいで通常なら居住者の快適性及び／又は安全性を確保するために引き上げられた換気回数を必要とするはずの実験室空間（又は他の建造物空間）内の空気を取り扱うための方法及び装置に関する。
【背景技術】
【０００３】
近代建築法典は、居住者の快適性及び／又は安全性を確保するために建造物の部屋内の空気を所与時間中最小限の回数は循環させることを義務付けており、例えば、近代建築法典が建造物の各部屋につき２−４回毎時換気の最小値を義務付けていることはよくある。
【０００４】
また一方、一部の建造物の一部の区域（例えば、実験室空間、病院空間、解剖実験室、動物ケア施設、加熱システムなどを収容している機械室、ガレージ、ロッカー室、など）では、有害物質（例えば危険有害化学物質）の存在のせいで、居住者の快適性及び／又は安全性を確保するために高換気回数が必要となる場合もある。
【０００５】
限定ではなく一例として、化学物質がヒュームフードの保護無しに開放された作業台の上で取り扱われている実験室空間では、居住者の快適性及び／又は安全性を確保するために高換気回数（例えば８−１２回毎時換気）が命じられている場合もある。この高換気回数は、ヒュームフードに加えてということであり、何らかのヒュームフードが実験室空間に設けられたからといって引き換えになるわけではない。
【０００６】
これらの実験室空間についての高換気回数は、居住者の快適性及び／又は安全性にとって極めて重要である一方、換気プロセスに付随するエネルギー損失のせいでそうはいっても費用が掛かることを認識しておきたい。より具体的にいうと、換気は典型的には建造物の外の大気を使用して達成されており、この外の大気は概して実験室空間にとっての置換空気として実験室空間の中へ導入される前に調整（例えば加熱又は冷却）されなくてはならない。この加熱又は冷却がエネルギーを消費しており、エネルギーは高価である。このことは特に天候がより寒い又はより暑い場合には真実であり、というのも周囲の外気を実験室空間の中へ置換空気として導入するのに先立ってより多い加熱又は冷却を当該空気のために達成させなくてはならないからである。
【０００７】
この視点から、引き上げられた換気回数（例えば８−１２回毎時換気）を必要とする実験室空間（及び／又は他の建造物空間）については、引き上げられた換気回数を必要としない部屋の場合（例えばたったの２−４回毎時換気）よりもエネルギー費用が著しく高くつくことが認識されるであろう。
【０００８】
而して、通常なら引き上げられた換気回数（例えば８−１２回毎時換気）を必要とするはずの実験室空間（及び／又は他の建造物空間）内の空気の取り扱いについて、引き上げられた換気回数に付随するエネルギー損失を低減するために、新しい手法の必要性が存在している。
【０００９】
加えて、建造物内の空気品質を監視することの必要性、特に、有害物質（例えば危険有害化学物質）が存在し得る建造物空間内の空気品質を監視することの必要性及びそれらの空間内の空気品質に係る起こり得る問題が発生した場合に職員に勧告することの必要性も存在している。
【先行技術文献】
【特許文献】
【００１０】
【特許文献１】米国仮特許出願第６１／８２４，９９７号
【発明の概要】
【発明が解決しようとする課題】
【００１１】
本発明は、通常なら引き上げられた換気回数（例えば８−１２回毎時換気）を必要とするはずの実験室空間（及び／又は他の建造物空間）内の空気の取り扱いについて、引き上げられた換気回数に付随するエネルギー損失を低減するために、新しい手法を提供する。
【００１２】
加えて、本発明は、建造物内の空気品質を監視するための新しい手法、特に、有害物質（例えば危険有害化学物質）が存在し得る建造物空間内の空気品質を監視するため及びそれらの空間内の空気品質に係る起こり得る問題が発生した場合に職員に勧告するための新しい手法を提供する。
【課題を解決するための手段】
【００１３】
本発明の１つの好適な形態では、高換気回数空間の換気負荷を低換気回数空間の換気負荷へ転換するための装置において、
高換気回数空間の表面へ取り付けるためのハウジングと、
当該ハウジングに形成されている空気入口と
当該ハウジングに形成されている少なくとも１つの空気出口と、
当該ハウジングを通って延びていて当該空気入口を当該少なくとも１つの空気出口へ接続している通路と、
高換気回数空間の空気を当該空気入口に引き入れ当該通路を通して引いてゆき当該空気を高換気回数空間へ当該少なくとも１つの空気出口を通して戻すように、当該通路に配置されている循環ファンと、
当該通路を通過してゆく空気から有害物質をパージするための、当該通路に配置されているフィルタと、を備え、それにより高換気回数空間の換気負荷を低換気回数空間の換気負荷へ転換する装置、が提供されている。
【００１４】
本発明の別の好適な形態では、換気システムを有する建造物内の高換気回数空間の換気負荷を取り扱うための方法において、
高換気回数空間の換気負荷を低換気回数空間の負荷へ転換するための装置を提供する段階であって、
高換気回数空間の表面へ取り付けるためのハウジングと、
当該ハウジングに形成されている空気入口と
当該ハウジングに形成されている少なくとも１つの空気出口と、
当該ハウジングを通って延びていて当該空気入口を当該少なくとも１つの空気出口へ接続している通路と、
高換気回数空間の空気を当該空気入口に引き入れ当該通路を通して引いてゆき当該空気を高換気回数空間へ当該少なくとも１つの空気出口を通して戻すように当該通路に配置されている循環ファンと、
当該通路を通過してゆく空気から有害物質をパージするための、当該通路に配置されているフィルタと、を備えている装置、を提供する段階と、
当該装置を高換気回数空間に配置し、当該装置を作動させて高換気回数空間の換気負荷が低換気回数空間の換気負荷へ転換されるようにする段階と、
建造物の換気システムを作動させて高換気回数空間へ低換気回数が提供されるようにする段階と、を備えている方法が提供されている。
【００１５】
本発明のこれら及び他の目的及び特徴は、次に続く本発明の好適な実施形態の詳細な説明を添付図面と併せて考察することによってより完全に開示され又は明白になってゆくことであり、図面の中で同様の符号は同様の部分を指しており、以下に添付図面を更に説明する。
【図面の簡単な説明】
【００１６】
【図１】本発明により形成されている新規性のある空気処理デバイスの概略図である。
【図２】図１に示されている新規性のある空気処理デバイスに使用することのできる１つの好適なフィルタの概略図である。
【図３】本発明により形成されている別の新規性のある空気処理デバイスの概略図である。
【図４】本発明により形成されているまた別の新規性のある空気処理デバイスの概略図である。
【図５】本発明により形成されている更に別の新規性のある空気処理デバイスの概略図である。
【図６】図５と共に、本発明により形成されている更に別の新規性のある空気処理デバイスの概略図である。
【図７】図５及び図６と共に、本発明により形成されている更に別の新規性のある空気処理デバイスの概略図である。
【図８】図５−図７と共に、本発明により形成されている更に別の新規性のある空気処理デバイスの概略図である。
【図９】本発明により形成されている別の新規性のある空気処理デバイスの概略図である。
【図１０】図９と共に、本発明により形成されている別の新規性のある空気処理デバイスの概略図である。
【図１１】図９及び図１０と共に、本発明により形成されている別の新規性のある空気処理デバイスの概略図である。
【図１２】図９−図１１と共に、本発明により形成されている別の新規性のある空気処理デバイスの概略図である。
【図１３】図９-図１２と共に、本発明により形成されている別の新規性のある空気処理デバイスの概略図である。
【図１４】図９−図１３と共に、本発明により形成されている別の新規性のある空気処理デバイスの概略図である。
【図１５】図９−図１４と共に、本発明により形成されている別の新規性のある空気処理デバイスの概略図である。
【図１６】図９−図１５と共に、本発明により形成されている別の新規性のある空気処理デバイスの概略図である。
【図１７】図９−図１６と共に、本発明により形成されている別の新規性のある空気処理デバイスの概略図である。
【発明を実施するための形態】
【００１７】
本発明は、通常なら引き上げられた換気回数（例えば８−１２回毎時換気）を必要とするはずの実験室空間（及び／又は他の建造物空間）内の空気の取り扱いについて、引き上げられた換気回数に付随するエネルギー損失を低減するために、新しい手法を提供している。
【００１８】
より具体的にいうと、本発明は、実験室空間（及び／又は他の建造物空間、例えば、病院空間、解剖実験室、動物ケア施設、加熱システムなどを収容している機械室、ガレージ、ロッカー室、など）の空気から有害物質（例えば危険有害化学物質）をパージする新規性のある空気処理デバイスを提供している。新規性のある空気処理デバイスは、通常なら引き上げられた換気回数（例えば８−１２回毎時換気）を必要とするはずの実験室空間（及び／又は他の建造物空間）内に、当該実験室空間（及び／又は他の建造物空間）を引き下げられた換気回数（例えば２−４回毎時換気）で作動できるようにし尚且つ居住者の快適性及び安全性も確保できるようにするために設置される。而して、本発明の新規性のある空気処理デバイスを通常なら引き上げられた換気回数を必要とするはずの実験室空間（及び／又は他の建造物空間）内に使用することによって、実験室空間（及び／又は他の建造物空間）についての換気回数は引き下げられ、それにより換気プロセスに付随するエネルギー損失を低減することができる。
【００１９】
加えて、本発明は、建造物内の空気品質を監視するための新しい手法、特に、有害物質（例えば危険有害化学物質）が存在し得る建造物空間内の空気品質を監視するため及びそれらの空間内の空気品質に係る起こり得る問題が発生した場合に職員に勧告するための新しい手法を提供している。
【００２０】
さて図１を見て、本発明の１つの形態では、実験室空間（及び／又は他の建造物空間、例えば、病院空間、解剖実験室、動物ケア施設、加熱システムなどを収容している機械室、ガレージ、ロッカー室、など）の天井へ固定されるのが望ましいとされるハウジング１０を備えている新規性のある空気処理デバイス５が提供されている。ハウジング１０は、空気入口１５、少なくとも１つの空気出口２０、及びハウジング１０を通って延びていて空気入口１５を少なくとも１つの空気出口２０へ接続している通路２５を画定している。実験室空間（及び／又は他の建造物空間、例えば、病院空間、解剖実験室、動物ケア施設、加熱システムなどを収容している機械室、ガレージ、ロッカー室、など）の空気を空気入口１５に引き入れ、当該空気を通路２５を通して進め、次いで当該空気を実験室空間（及び／又は他の建造物空間、例えば、病院空間、解剖実験室、動物ケア施設、加熱システムなどを収容している機械室、ガレージ、ロッカー室、など）へ少なくとも１つの空気出口２０を通して戻すように、循環ファン３０が通路２５に配置されている。空気入口１５、少なくとも１つの空気出口２０、通路２５、及び循環ファン３０は、所与の空間内の空気の実質的に全てが新規性のある空気処理デバイス５を通して定期的又は頻回に循環されることを確保するように構成されている。
【００２１】
本発明によれば、新規性のある空気処理デバイス５は、空気から有害物質（例えば危険有害化学物質）をパージするように適合されているフィルタ３５を含んでいる。より具体的にいうと、フィルタ３５は、実験室空間（及び／又は他の建造物空間、例えば、病院空間、解剖実験室、動物ケア施設、加熱システムなどを収容している機械室、ガレージ、ロッカー室、など）からの通路２５を通過してくる空気がフィルタ３５によって濾過されるように通路２５に配置されているので、それにより有害物質（例えば危険有害化学物質）を実験室空間（及び／又は他の建造物空間）の空気から除去することができる。而して、新規性のある空気処理デバイス５は、実験室空間（及び／又は他の建造物空間）の空気を引き入れ、当該空気を濾過して空気から有害物質（例えば危険有害化学物質）をパージし、次いで濾過された空気を実験室空間（及び／又は他の建造物空間）へ戻し、しかも実質的に空気の損失無しに、また注目すべきこととして実質的に空気の熱含有量の変化無しにこれを行う。
【００２２】
結果として、新規性のある空気処理デバイス５は実験室空間（及び／又は他の建造物空間、例えば、病院空間、解剖実験室、動物ケア施設、加熱システムなどを収容している機械室、ガレージ、ロッカー室、など）の空気から有害物質（例えば危険有害化学物質）を除去するので、当該実験室空間（及び／又は他の建造物空間）についての換気回数を、通常なら当該実験室空間（及び／又は他の建造物空間）に関連付けられる引き上げられた換気回数（例えば８−１２回毎時換気）から建造物の標準的な部屋についての「標準」換気回数（例えば２−４回毎時換気）へ引き下げることができる。このやり方では、従来なら高換気回数（例えば８−１２回毎時換気）を必要とするはずの実験室空間（及び／又は他の建造物空間）についての換気回数を、標準換気回数（例えば２−４回毎時換気）を必要とする部屋のそれへ引き下げることができ、それにより換気に付随するエネルギー損失が有意に低減される。
【００２３】
本質的に、新規性のある空気処理デバイス５は、「高換気回数空間」（例えば８−１２回毎時換気を必要とするもの）の「換気負荷」を「低換気回数空間」（例えば２−４回毎時換気を必要とするもの）の「換気負荷」へ有効に転換し、それにより換気に付随するエネルギー損失が有意に低減され尚且つ居住者の快適性及び／又は安全性も確保される。
【００２４】
換気プロセスに付随するエネルギー損失の低減化をもたらすことに加え、新規性のある空気処理デバイス５が更に実験室空間（及び／又は他の建造物空間、例えば、病院空間、解剖実験室、動物ケア施設、加熱システムなどを収容している機械室、ガレージ、ロッカー室、など）の居住者にとってより高い品質の空気を提供することは注目に値する。これは、新規性のある空気処理デバイス５が能動的に実験室空間（及び／又は他の建造物空間）の空気から有害物質（例えば危険有害化学物質）をパージしているからであり単に換気回数を引き上げてそれらを希釈するだけではないからである。
【００２５】
以上に論じられている様に、フィルタ３５は、実験室空間空気から有害物質（例えば危険有害化学物質）をパージするように設計されている。より具体的にいうと、フィルタ３５は、実験室空間の空気から化学物質を除去するように構成されており、それらの化学物質は、煙霧、蒸気、揮発分、など、を含む非粒子状物質を備えていることもある。本発明の１つの好適な形態では、フィルタ３５は、実験室空間の空気から、溶媒と酸と塩基のうちの少なくとも１つを除去するように構成されている。本発明の１つの特に好適な形態では、フィルタ３５は、実験室空間の空気から、溶媒と酸と塩基のうちの少なくとも２つを除去するように構成されている。
【００２６】
フィルタ３５は、ダクト無しヒュームフードに一般的に利用されている種類のものであってもよい。好適には、フィルタ３５は、米国マサチューセッツ州ローリーのＥｒｌａｂ社によって販売されている種類のニュートロダイン（Ｎｅｕｔｒｏｄｉｎｅ（登録商標））フィルタであり（図２参照）、当該フィルタは、数多くの異なる化学物質系、例えば溶媒、酸、及び塩基、を同時に取り扱う能力のあるカセットベース多段フィルタである。フィルタ３５がカセットベース多段フィルタでない場合、それは有害物質（例えば危険有害化学物質）の有効パージングを確保するように幾つかの独立したフィルタを連続に配列して備えていてもよい。
【００２７】
各実験室空間（及び／又は他の建造物空間、例えば、病院空間、解剖実験室、動物ケア施設、加熱システムなどを収容している機械室、ガレージ、ロッカー室、など）について、当該実験室空間（及び／又は他の建造物空間）の大きさ及び新規性のある空気処理デバイス５の容量に依存して、１つ又はそれ以上の新規性のある空気処理デバイス５が使用され得るものと認識しておきたい。而して、１０００平方フィート（９２．９０３平方メートル）の典型的な化学実験室には、実験室空間を賄うのに５つの新規性のある空気処理デバイス５が提供される場合もあろう。
【００２８】
本発明の１つの好適な形態では、新規性のある空気処理デバイス５は、当該新規性のある空気処理デバイスの作動要素（例えば循環ファンやフィルタ３５など）の正常機能を監視するための１つ又はそれ以上のセンサ４０（図１）を含んでおり、これらのセンサ４０は、万一、作動要素（例えば循環ファン３０やフィルタ３５など）の正常機能が中断した場合に、警報４３（例えば可聴警報及び／又は視覚的な電灯による警報）を起動させるための監視システム４２へ（例えば有線又は無線通信４１によって）接続されているのが望ましい。
【００２９】
代替的又は追加的に、センサ４０は建造物のためのマスター空気制御システム４４へ（例えば有線又は無線通信４１）によって接続されていてもよい。万一、１つ又はそれ以上の新規性のある空気処理デバイス５の作動要素の１つ又はそれ以上（例えば、循環ファン３０、フィルタ３５、など）の正常機能が中断した場合、建造物のためのマスター空気制御システム４４は、影響の及ぶ実験室空間（及び／又は他の建造物空間、例えば、病院空間、解剖実験室、動物ケア施設、加熱システムなどを収容している機械室、ガレージ、ロッカー室、など）についての換気回数を、例えば「標準」換気回数（例えば２−４回毎時換気）から高換気回数（例えば８−１２回毎時換気）へ自動的に引き上げ、それにより当該実験室空間（及び／又は他の建造物空間）の居住者の快適性及び／又は安全性が確保されるようにすることができる。
【００３０】
本発明の１つの好適な形態では、新規性のある空気処理デバイス５は、実験室空間（及び／又は他の建造物空間、例えば、病院空間、解剖実験室、動物ケア施設、加熱システムなどを収容している機械室、ガレージ、ロッカー室、など）の天井へ取り付けられており、よって新規性のある空気処理デバイスは通常の空間機能に干渉せず、また実験室空間（及び／又は他の建造物空間）内の空気へ容易にアクセスできる。実験室空間（及び／又は他の建造物空間）が「ドロップダウン型」天井を有している場合、新規性のある空気処理デバイス５の一部分が「ドロップダウン型」天井より上の領域の中へ突き出ている場合もあることに留意されたし。
【００３１】
代わりに、新規性のある空気処理デバイス５は、実験室空間（及び／又は他の建造物空間）の壁へ取り付けられるように構成されていてもよいし、又は実験室空間（及び／又は他の建造物空間）の天井と壁の両方へ取り付けられるように構成されていてもよい。
【００３２】
更に、新規性のある空気処理デバイス５は、自立式とすることができ、例えばハウジング１０が実験室空間（及び／又は他の建造物空間）の床に据えられている土台へ取り付けられるようになっていてもよい。
【００３３】
注目すべきこととして、本発明は、建造物内の空気品質を監視するための新しい手法、特に、有害物質（例えば危険有害化学物質）が存在し得る建造物空間内の空気品質を監視するため及びそれらの空間内の空気品質に係る起こり得る問題が発生した場合に職員に勧告するための新しい手法を提供している。このために新規性のある空気処理デバイス５は、更に、実験室空間（及び／又は他の建造物空間）内の周囲空気の空気品質を監視するためのセンサ４６を備えているのが望ましい。センサ４６は、万一、実験室空間（及び／又は他の建造物空間）内の周囲空気の空気品質が所定空気品質レベルより下に劣化した場合に、警報４３（例えば可聴警報及び／又は視覚的な電灯による警報）を起動させるための監視システム４２へ（例えば有線又は無線通信４１によって）接続されているのが望ましい。
【００３４】
次に図３を見て、所望であれば、新規性のある空気処理デバイス５に実験室空間（及び／又は他の建造物空間）の天井での「重量を感じさせない」外観を与えることを目的に、新規性のある空気処理デバイス５は実験室空間（及び／又は他の建造物空間）の天井へ付着している部分に暗色基部４５を有し、新規性のある空気処理デバイス５の実験室空間（及び／又は他の建造物空間）の中へ突き出ている外周部分の周りに電灯の帯５０がセットされていてもよい。この電灯の帯５０は純粋に装飾的であって、例えば実験室空間（及び／又は他の建造物空間）のための所望の雰囲気を作り出すように薄青色の電灯とすることもできるし、又は電灯の帯５０は機能的であって、例えば実験室空間（及び／又は他の建造物空間）のための照明を提供するように「白色」電灯とすることもできる。
【００３５】
また、この電灯の帯５０は、図３に示されている様な連続した電灯の帯を備えていてもよいし、又は図４に示されている様な複数の点光源５５（例えばＬＥＤ電灯）によって作り出される途切れた電灯の帯を備えていてもよい。
【００３６】
加えて、所望であれば、電灯の帯５０は情報提供性のあるものとすることもでき、例えば、新規性のある空気処理デバイス５が正常に機能しているなら及び／又は実験室空間（及び／又は他の建造物空間）内の周囲空気の空気品質が所定空気品質レベルより上に留まっているなら電灯の帯５０が一方の色（例えば青色）を有し、また新規性のある空気処理デバイスが正常に機能していないなら及び／又は実験室空間（及び／又は他の建造物空間）内の周囲空気の空気品質が所定空気品質レベルより下に劣化しているなら電灯の帯５０がもう一方の色（例えば赤色）を有するようになっていてもよい。而して、本発明のこの形態では、電灯の帯５０は視覚的な電灯による警報４３と同じ目的を果たすことができ（及び、本発明のこの形態では、電灯の帯５０はセンサ４０及びセンサ４６へ接続されている監視システム４２によって制御されていてもよい）。
【００３７】
本発明の１つの好適な形態では、新規性のある空気処理デバイス５は自身のセンサ４０及びセンサ４６を監視システム４２へ接続させており、監視システム４２が視覚的警報４３及び／又は電灯の帯５０へ接続されていて、監視システム４２は、（ｉ）新規性のある空気処理デバイス５の作動要素（例えば、循環ファン３０、フィルタ３５、など）が正常に機能していない場合又は（ｉｉ）実験室空間（及び／又は他の建造物空間）内の周囲空気の空気品質が所定空気品質レベルより下に劣化した場合に、警報４３及び／又は電灯の帯５０の状態を変化させるようにプログラムされている。このやり方では、実験室空間（及び／又は他の建造物空間）内に居る人は警報４３及び／又は電灯の帯５０の状態を観察するだけで、新規性のある空気処理デバイスが点検修理（例えば消耗したフィルタ３５を交換するなど）を必要としているかどうか及び／又は実験室空間（及び／又は他の建造物空間）内の周囲空気の空気品質が所定空気品質レベルより下に劣化してしまっているかどうかを知ることができる。これに関し、認識しておきたいこととして、新規性のある空気処理デバイス５を実験室空間（及び／又は他の建造物空間）の天井に設置することによって、及び電灯の帯５０をハウジング１０の全周（又は少なくともその実質部分）を廻って延在させることによって、実験室空間（及び／又は他の建造物空間）内に居る人は実質的にどこに居ようと概して新規性のある空気処理デバイス５の電灯の帯５０に対する直接の見通し線を有することになり、それにより新規性のある空気処理デバイス５の作動状態及び実験室空間（及び／又は他の建造物空間）内の周囲空気の空気品質について素早く且つ簡単に情報提供を受けることができるようになる。
【００３８】
代替的及び／又は追加的に、新規性のある空気処理デバイス５は、電灯５０の帯が、新規性のある空気処理デバイス５が正常に機能している場合には連続点灯し新規性のある空気処理デバイスが正常に機能していない場合には点滅するように、構成されていてもよい。
【００３９】
図５−図８は、新規性のある空気処理デバイス５のための別の好適な構築を示している。図５−図８に示されている構築では、フィルタ３５はハウジング１０へヒンジ接続されている「ドロップダウン型」トレイ６０に受け入れられており、即ち、フィルタ３５を交換しようとするときは、「ドロップダウン型」トレイ６０をハウジング１０から下降させ、新しいフィルタ３５を搭載し、次いで「ドロップダウン型」トレイ６０をハウジング１０の中へリセットするようになっている。
【００４０】
図９−図１７は、新規性のある空気処理デバイス５のための更に別の好適な構築を示している。
修正形
本発明を特定の例示としての好適な実施形態の観点から説明してきたが、当業者には容易に理解及び認識される様に、本発明はその様に限定されるものではなく、ここに論じられている好適な実施形態には本発明の範囲から逸脱することなく多くの追加、削除、及び修正がなされ得る。
（項目１）
高換気回数空間の換気負荷を低換気回数空間の換気負荷へ転換するための装置において、
前記高換気回数空間の表面へ取り付けるためのハウジングと、
前記ハウジングに形成されている空気入口と
前記ハウジングに形成されている少なくとも１つの空気出口と、
前記ハウジングを通って延びていて前記空気入口を前記少なくとも１つの空気出口へ接続している通路と、
前記高換気回数空間の空気を前記空気入口に引き入れ前記通路を通して引いてゆき当該空気を前記高換気回数空間へ前記少なくとも１つの空気出口を通して戻すように前記通路に配置されている循環ファンと、
前記通路を通過してゆく前記空気から有害物質をパージするための、前記通路に配置されているフィルタと、を備え、それにより高換気回数空間の換気負荷を低換気回数空間の換気負荷へ転換する装置。
（項目２）
前記ハウジングは、前記高換気回数空間の天井と壁のうちの少なくとも一方への固定に適する構成である、項目１に記載の装置。
（項目３）
前記ハウジングは前記高換気回数空間の前記天井への固定に適する構成であり、前記天井はドロップダウン型天井であり、更に前記ハウジングの一部分が前記ドロップダウン型天井より上の領域の中へ延びている、項目１に記載の装置。
（項目４）
前記フィルタは前記高換気回数空間の前記空気から化学物質を除去するように構成されている、項目１に記載の装置。
（項目５）
前記フィルタは前記高換気回数空間の前記空気から非粒子状物質を除去するように構成されている、項目４に記載の装置。
（項目６）
前記フィルタは前記高換気回数空間の前記空気から煙霧と蒸気と揮発分のうちの少なくとも１つを除去するように構成されている、項目５に記載の装置。
（項目７）
前記フィルタは前記高換気回数空間の前記空気から溶媒と酸と塩基のうちの少なくとも１つを除去するように構成されている、項目４に記載の装置。
（項目８）
前記フィルタは前記高換気回数空間の前記空気から溶媒と酸と塩基のうちの少なくとも２つを除去するように構成されている、項目７に記載の装置。
（項目９）
前記フィルタは前記ハウジングへヒンジ接続されているトレイに受け入れられている、項目１に記載の装置。
（項目１０）
前記ファンと前記フィルタのうちの少なくとも一方の正常機能を監視するための少なくとも１つのセンサを更に備えている項目１に記載の装置。
（項目１１）
前記ファンと前記フィルタのうちの少なくとも一方の機能不全を指示するための、前記少なくとも１つのセンサへ接続されている警報を更に備えている項目１０に記載の装置。
（項目１２）
前記警報は可聴警報である、項目１１に記載の装置。
（項目１３）
前記警報は視覚的な電灯による警報である、項目１１に記載の装置。
（項目１４）
前記少なくとも１つのセンサは前記高換気回数空間を収容する建造物の換気システムへ接続されているので、前記ファンと前記フィルタのうちの少なくとも一方の機能不全が発生した場合に前記建造物の前記換気システムが前記高換気回数空間の換気回数を引き上げることができる、項目１０に記載の装置。
（項目１５）
前記装置は８−１２回毎時換気空間の換気負荷を２−４回毎時換気空間の換気負荷へ転換する、項目１に記載の装置。
（項目１６）
前記高換気回数空間の周囲空気を監視するための少なくとも１つのセンサを更に備えている、項目１に記載の装置。
（項目１７）
前記高換気回数空間の前記周囲空気の空気品質が所定空気品質レベルより下に劣化した場合に指示するための、前記少なくとも１つのセンサへ接続されている警報を更に備えている項目１６に記載の装置。
（項目１８）
前記ファンと前記フィルタのうちの少なくとも一方の正常機能を監視するための少なくとも１つの第１のセンサと、前記高換気回数空間の前記周囲空気を監視するための少なくとも１つの第２のセンサと、前記ファンと前記フィルタのうちの少なくとも一方の機能不全と前記高換気回数空間の前記周囲空気の空気品質の所定空気品質レベルより下への劣化とから成る群からの少なくとも１つの発生を指示するための、前記少なくとも１つの第１のセンサ及び前記少なくとも１つの第２のセンサへ接続されている警報と、を更に備えている項目１に記載の装置。
（項目１９）
前記警報は視覚的な電灯による警報である、項目１８に記載の装置。
（項目２０）
前記視覚的な電灯による警報は前記ハウジングへ取り付けられている電灯の帯を備えている、項目１９に記載の装置。
（項目２１）
前記視覚的な電灯による警報は前記電灯の帯の色を変化させることによって事象の発生を指示する、項目２０に記載の装置。
（項目２２）
前記視覚的な電灯による警報は前記電灯の帯を点滅させることによって事象の発生を指示する、項目２０に記載の装置。
（項目２３）
換気システムを有する建造物内の高換気回数空間の換気負荷を取り扱うための方法において、
高換気回数空間の換気負荷を低換気回数空間の負荷へ転換するための装置を提供する段階であって、
高換気回数空間の表面へ取り付けるためのハウジングと、
前記ハウジングに形成されている空気入口と
前記ハウジングに形成されている少なくとも１つの空気出口と、
前記ハウジングを通って延びていて前記空気入口を前記少なくとも１つの空気出口へ接続している通路と、
前記高換気回数空間の空気を前記空気入口に引き入れ前記通路を通して引いてゆき当該空気を前記高換気回数空間へ前記少なくとも１つの空気出口を通して戻すように前記通路に配置されている循環ファンと、
前記通路を通過してゆく前記空気から有害物質をパージするための、前記通路に配置されているフィルタと、を備えている装置、を提供する段階と、
前記装置を前記高換気回数空間に配置し、前記装置を作動させて高換気回数空間の換気負荷が低換気回数空間の換気負荷へ転換されるようにする段階と、
前記建造物の前記換気システムを作動させて前記高換気回数空間へ低換気回数が提供されるようにする段階と、を備えている方法。
（項目２４）
前記ファンと前記フィルタのうちの少なくとも一方の正常機能を監視するための少なくとも１つのセンサを更に備えている、項目２３に記載の方法。
（項目２５）
前記ファンと前記フィルタのうちの少なくとも一方の機能不全を指示するための、前記少なくとも１つのセンサへ接続されている警報を更に備えている項目２４に記載の方法。
（項目２６）
前記警報は可聴警報である、項目２５に記載の方法。
（項目２７）
前記警報は視覚的な電灯による警報である、項目２５に記載の方法。
（項目２８）
前記少なくとも１つのセンサは前記建造物の前記換気システムへ接続されていて、前記ファンと前記フィルタのうちの少なくとも一方の機能不全が発生した場合に前記建造物の前記換気システムを作動させて前記高換気回数空間へ高換気回数が提供されるようにする、項目２４に記載の方法。
（項目２９）
前記装置は８−１２回毎時換気空間の換気負荷を２−４回毎時換気空間の換気負荷へ転換する、項目２３に記載の方法。
（項目３０）
前記高換気回数空間の周囲空気を監視するための少なくとも１つのセンサを更に備えている、項目２３に記載の方法。
（項目３１）
前記高換気回数空間の前記周囲空気の空気品質が所定空気品質レベルより下に劣化した場合に指示するための、前記少なくとも１つのセンサへ接続されている警報を更に備えている項目３０に記載の方法。
（項目３２）
前記ファンと前記フィルタのうちの少なくとも一方の正常機能を監視するための少なくとも１つの第１のセンサと、前記高換気回数空間の前記周囲空気を監視するための少なくとも１つの第２のセンサと、前記ファンと前記フィルタのうちの少なくとも一方の機能不全と前記高換気回数空間の前記周囲空気の空気品質の所定空気品質レベルより下への劣化とから成る群からの少なくとも１つの発生を指示するための、前記少なくとも１つの第１のセンサ及び前記少なくとも１つの第２のセンサへ接続されている警報と、を更に備えている項目２３に記載の方法。
（項目３３）
前記警報は視覚的な電灯による警報である、項目３２に記載の方法。
（項目３４）
前記視覚的な電灯による警報は前記ハウジングへ取り付けられている電灯の帯を備えている、項目３３に記載の方法。
（項目３５）
前記視覚的な電灯による警報は前記電灯の帯の色を変化させることによって事象の発生を指示する、項目３４に記載の方法。
（項目３６）
前記視覚的な電灯による警報は前記電灯の帯を点滅させることによって事象の発生を指示する、項目３４に記載の装置。
【符号の説明】
【００４１】
５  新規性のある空気処理デバイス
１０  ハウジング
１５  空気入口
２０  少なくとも１つの空気出口
２５  通路
３０  循環ファン
３５  フィルタ
４０  センサ（作動要素監視用）
４１  有線又は無線通信
４２  監視システム
４３  警報
４４  マスター空気制御システム
４５  暗色基部
４６  センサ（空気品質監視用）
５０  電灯の帯
５５  点光源
６０  ドロップダウン型トレイ
【図１】
0006505085.tif 000002
【図２】
0006505085.tif 000003
【図３】
0006505085.tif 000004
【図４】
0006505085.tif 000005
【図５】
0006505085.tif 000006
【図６】
0006505085.tif 000007
【図７】
0006505085.tif 000008
【図８】
0006505085.tif 000009
【図９】
0006505085.tif 000010
【図１０】
0006505085.tif 000011
【図１１】
0006505085.tif 000012
【図１２】
0006505085.tif 000013
【図１３】
0006505085.tif 000014
【図１４】
0006505085.tif 000015
【図１５】
0006505085.tif 000016
【図１６】
0006505085.tif 000017
【図１７】
0006505085.tif 000018